(57)【特許請求の範囲】
【請求項１】
上端部には雌ねじ内部には螺合穴が形成された内筒部材と、この内筒部材の上部外周を回動可能に覆う外筒部材と、前記内筒部材内に上下移動可能に形成された化粧料を保持する皿部材と、この皿部材に垂下され内筒部材の螺合穴まで達する内筒部材の雌ねじと螺合する軸棒と、前記内筒部材と外筒部材を回動させることによって前記皿部材を上下移動させることのできる上下移動機構と、内筒部材の外筒部材に覆われていない部位を係止するハカマ部材と前記内筒部材の外筒部材に覆われる部位に形成された周溝と、この周溝と対応する部位の外筒部材を巻き閉めあるいはポンチなどの加工によって変形させることによって内筒部材と外筒部材を抜け出し不能とした口紅などの収納容器において、内筒部材の周溝にはこの周溝の上下位置まで達するカット溝を形成することにより内筒部材の周溝が内部方向へ変形可能とし、軸棒は螺合穴の内径寸法よりもわずかに小径となるような外径寸法に形成することによって、皿部材が外筒部材の下部ないし中間部に位置する際には周溝が内側へ変形することが阻止でき、皿部材を外筒部材の上端部に位置させた場合に内筒部材の周溝が内部方向へ変形することによって外筒部材の無理抜きが可能とした事を特徴とする口紅などの収納容器。
【請求項２】
上下移動機構は外筒部材内部に形成された軸心方向の係合溝、皿部材に形成された前記外筒部材の係合溝と係合する係合ピンと、軸棒に形成された雄ねじ、内筒部材の螺合穴に形成された雌ねじの螺合によって形成される請求項１記載の口紅などの収納容器。
【請求項３】
軸心方向の切り割り溝が形成された筒状の内筒部材と、この内筒部材の切り割り溝の外周を回動可能ではあるがぬけ出し不能に覆い内部にラセン溝が形成された外筒部材と、前記内筒部材内に上下移動可能に形成された皿部材と、この皿部材に形成された前記内筒部材の切り割り溝及び前記外筒部材のラセン溝と係合する係合ピンと、内筒部材の外筒部材に覆われていない部位を係止するハカマ部材と前記内筒部材の外筒部材に覆われる部位に形成された周溝と、この周溝と対応する部位の外筒部材を巻き閉めあるいはポンチなどの加工によって変形させることによって内筒部材と外筒部材を抜け出し不能とした口紅などの収納容器において、内筒部材の周溝にはこの周溝の上下位置まで達するカット溝を形成することにより内筒部材の周溝が内部方向へ変形可能とし、皿部材は内筒部材の内径寸法よりもわずかに小径となるような外径寸法に形成することによって、皿部材が外筒部材の下部ないし中間部に位置する際には周溝が内側へ変形することが阻止でき、皿部材を外筒部材の上端部に位置させた場合に内筒部材の周溝が内部方向へ変形することによって外筒部材の無理抜きが可能とした事を特徴とする口紅などの収納容器。
【発明の詳細な説明】
【０００１】
【産業上の利用分野】
本発明は口紅などの収納容器に関するものである。
【０００２】
【従来の技術】
従来の口紅などの収納容器は、内部に螺合穴が形成された内筒部材と、この内筒部材の上部外周を回動可能に覆う外筒部材と、前記内筒部材内に上下移動可能に形成された化粧料を保持する皿部材と、この皿部材に垂下され内筒部材の螺合穴まで達する軸棒と、前記内筒部材と外筒部材を回動させることによって前記皿部材を上下移動させることのできる上下移動機構と、内筒部材の外筒部材に覆われていない部位を係止するハカマ部材とから構成され、さらに前記内筒部材の外筒部材に覆われる部位に形成された周溝と、この周溝と対応する部位の外筒部材を巻き閉めあるいはポンチなどの加工によって変形させることによって内筒部材と外筒部材を抜け出し不能とする構造が使用されていた。
【０００３】
【本発明が解決しようとする課題】
このような従来の口紅などの収納容器では、使用される材質として外筒部材にはアルミニウムなどの金属材が使用され、内筒部材および皿部材には合成樹脂が使用されるといった異材質の組み合わせによって構成されているが、容器の分解による消費者クレームを危惧するあまり、非常に分解しずらい構成となっており、そのためリサイクル可能な材質であっても分解させることが困難で、使用後は通常の場合、不燃ゴミとして廃棄せざるを得ないという欠点があった。
【０００４】
本発明は以上のような従来の欠点に鑑み、通常の使用においては分解することが無く、使い切り後ゴミとして分別をする際には消費者が安全かつ、いたって容易に異材質を分離でき、リサイクルを可能にする口紅などの収納容器を提供する事を目的としている。
【０００５】
【課題を解決するための手段】
上記課題を解決するため、本発明は上端部には雌ねじ内部には螺合穴が形成された内筒部材と、この内筒部材の上部外周を回動可能に覆う外筒部材と、前記内筒部材内に上下移動可能に形成された化粧料を保持する皿部材と、この皿部材に垂下され内筒部材の螺合穴まで達する内筒部材の雌ねじと螺合する軸棒と、前記内筒部材と外筒部材を回動させることによって前記皿部材を上下移動させることのできる上下移動機構と、内筒部材の外筒部材に覆われていない部位を係止するハカマ部材と前記内筒部材の外筒部材に覆われる部位に形成された周溝と、この周溝と対応する部位の外筒部材を巻き閉めあるいはポンチなどの加工によって変形させることによって内筒部材と外筒部材を抜け出し不能とした口紅などの収納容器において、内筒部材の周溝にはこの周溝の上下位置まで達するカット溝を形成することにより内筒部材の周溝が内部方向へ変形可能とし、軸棒は螺合穴の内径寸法よりもわずかに小径となるような外径寸法に形成することによって、皿部材が外筒部材の下部ないし中間部に位置する際には周溝が内側へ変形することが阻止でき、皿部材を外筒部材の上端部に位置させた場合に内筒部材の周溝が内部方向へ変形することによって外筒部材の無理抜きが可能とした事を特徴とするという手段を用いている。
【０００６】
【作用】
内筒部材に形成されたカット溝は外筒部材を無理抜きする際に内筒部材の内部方向への変形を容易にするものであるが、皿部材が外筒部材の下部ないし中間部に位置する際には周溝の内部の螺合穴には軸棒あるいは皿部材の下部が位置しているため、内筒部材が内部方向へ変形することが阻止され、したがって通常の使用において外筒部材が内筒部材より抜けてしまうといったことがない。
【０００７】
さらに皿部材を外筒部材の上端部に位置させた場合には、軸棒あるいは皿部材の下部も上方へ移動してしまっているので、周溝の内部には内筒部材が内部方向へ変形することを阻止するものがなくなり、それによって容易に外筒部材を抜き取ることができるように作用している。
【０００８】
【発明の実施例】
以下、図面に示す実施例により本発明を詳細に説明する。
図１ないし図６に示す発明の第１の実施例において、１はパイプ状に形成された合成樹脂材の内筒部材で、この内筒部材１の内部には螺合穴２が形成されている。
【０００９】
３は前記内筒部材１の上部を覆う外筒部材で、この外筒部材３はアルミニウムなどの金属材で成型され、内筒部材１の上部外周に回動可能ではあるが抜け出し不能に係止されている。
【００１０】
４は合成樹脂材の皿部材で、この皿部材４は口紅などの化粧料５を収納保持し、前記外筒部材３内に上下移動可能に係止され、さらにこの皿部材４の下部には前記内筒部材１の螺合穴２まで達する軸棒６が垂下されている。
【００１１】
この軸棒６の軸径は前記内筒部材１の螺合穴２の内径寸法よりもわずかに小径となるような外径寸法として構成され、さらにこの軸棒６の下端部には軸棒６が内筒部材１より抜脱することを防止するストッパー７が形成されている。
【００１２】
８は前記内筒部材１と外筒部材３を回動させることによって収納された皿部材４を上下移動させることのできる上下移動機構で、この上下移動機構８は数々のものが使用されるが、図示したものは外筒部材３の内部に軸心方向に形成された複数本の係合溝９、この係合溝９と係合することによって皿部材４の外筒部材３に対する回転を阻止する皿部材４に形成された係合ピン１０と、軸棒６に形成された雄ねじ１１、内筒部材１の螺合穴２に形成された雌ねじ１２の螺合手段によって螺合された軸棒６と内筒部材１によって構成されているものであるが、内筒部材１と外筒部材３を回動させることによって皿部材４を上下移動させることのできるものであればどのような構造であってもさしつかえない。
【００１３】
１３は内筒部材１の外筒部材３に覆われる部位に形成された周溝で、この周溝１３は図６に示すように外筒部材３の周溝１３と対応する部位を外部よりロール歯１４によって巻き締めによる抜け止め加工によって変形された外筒部材３の下部を係止することによって内筒部材１と外筒部材３を回転可能ではあるが抜け出し不能としている。
【００１４】
１５はカット溝で、このカット溝１５は前記内筒部材１の周溝１３の上下位置まで達するように内筒部材１の軸心方向に形成されているもので、このカット溝１５の溝幅が縮むことによって外筒部材３の無理抜きが可能となるように構成されているもので、このカット溝の数は１本でもよいが２本以上とすることが望ましい。
【００１５】
１６はハカマ部材で、このハカマ部材１６は内筒部材１の下部の外筒部材３に覆われていない部位を内部に係止して容器の外観を形成するもので、このハカマ部材１６の上部には蓋嵌合部１７が形成されている。
【００１６】
１８は前記ハカマ部材１６の蓋嵌合部１７と着脱自在に嵌合する蓋である。
【００１７】
このように構成された口紅などの収納容器１９は、皿部材４が外筒部材３の下部ないし中間部に位置する際には周溝１３の内部には軸棒６が位置しているため、内筒部材１が内側へ変形することが阻止されるものであり、したがって通常の使用において外筒部材３が内筒部材１より抜け出てしまうといったことがない。
【００１８】
さらに外筒部材３を外す場合には、皿部材４を外筒部材３の上端部に位置させることによって、周溝１３の内部には内筒部材１が内部方向へ変形することを阻止する軸棒６が上部に移動してしまって、内筒部材１が内径方向へ変形し易くなり、それによって容易に外筒部材３を抜き取ることができるようになる。
【００１９】
【発明の異なる実施例】
次に本発明の異なる実施例につき説明する。なお、これらの説明にあたって前記発明の第１の実施例と同一構成部分には同一符号を付して重複する説明を省略する。
【００２０】
図７および図８に示す発明の第２の実施例において、前記発明の第１の実施例と主に異なる点は、外筒部材３の抜け止め加工を複数個のポンチによるポンチ加工によって外筒部材３を変形させ抜け出し不能とした点で、この様な構造とした口紅などの収納容器１９Ａとしてもよい。
【００２１】
図９ないし図１１に示す発明の第３の実施例において、前記発明の第１の実施例と主に異なる点はカット溝１５Ｂで、このカット溝１５Ｂはコ字を９０度回転させたように、カット溝１５Ｂの上部を溝でつないだ形状とされているもので、このような形状のカット溝１５Ｂを使用した口紅などの収納容器１９Ｂとしてもよい。
【００２２】
図１２ないし図１６に示す発明の第４の実施例において、前記発明の第１の実施例と主に異なる点は、軸心方向の切り割り溝２１が形成された筒状の内筒部材１Ｃと、この内筒部材１Ｃの切り割り溝２１の外周を回動可能ではあるがぬけ出し不能に覆い内部にラセン溝２２が形成された外筒部材３Ｃと、前記内筒部材１Ｃ内に上下移動可能に形成された皿部材４Ｃと、この皿部材４Ｃに形成された前記内筒部材１Ｃの切り割り溝２１及び前記外筒部材３Ｃのラセン溝２２と係合する係合ピン１０Ｃと、内筒部材１Ｃの外筒部材３Ｃに覆われていない部位を係止するハカマ部材１６を使用した点で、このように構成された口紅などの収納容器１９Ｃとしてもよい。
【００２３】
このように構成された口紅などの収納容器１９Ｃは、皿部材４Ｃが外筒部材３Ｃの下部ないし中間部に位置する際には周溝１３の内部には皿部材４Ｃが位置しているため、内筒部材１Ｃが内側へ変形することが阻止されるものであり、したがって通常の使用において外筒部材３Ｃが内筒部材１Ｃより抜け出てしまうといったことがない。
【００２４】
外筒部材３Ｃを外す場合には、皿部材４Ｃを外筒部材３Ｃの上端部に位置させることによって、周溝１３の内部には内筒部材１Ｃが内部方向へ変形することを阻止する皿部材４Ｃが上部に移動してしまうので、それによって容易に外筒部材３Ｃを抜き取ることができるようになる。
【００２５】
【発明の効果】
本発明は以上説明したように構成されているので、以下に記載されるような効果を奏する。
【００２６】
（１）異材質の組み合わせによって構成されている収納容器であっても、消費者が安全、かついたって容易に分解することができ、それによって使用後は不燃ゴミとして廃棄せざるを得ないという事がなく、分別が可能であり、リサイクルもしやすくなる。
【００２７】
（２）構造が簡単であり、従来の収納容器であっても容易に改造して採用することができ、それによって組立方法も従来と変わらず容器を構成する為のコストが高くなってしまったりすることがない。
【図面の簡単な説明】
【図１】発明の第１の実施例の断面図である。
【図２】発明の第１の実施例の皿部材を上昇させた状態の断面図である。
【図３】発明の第１の実施例の外筒部材を抜き取るときの説明図である。
【図４】発明の第１の実施例の外筒部材を抜き取るときの説明図である。
【図５】発明の第１の実施例の内筒部材の斜視図である。
【図６】発明の第１の実施例の巻き締めをする状態の説明図である。
【図７】発明の第２の実施例の断面図である。
【図８】発明の第２の実施例のポンチ打ちをする説明図である。
【図９】発明の第３の実施例の断面図である。
【図１０】発明の第３の実施例の外筒部材を抜き取るときの説明図である。
【図１１】発明の第３の実施例の内筒部材の斜視図である。
【図１２】発明の第４の実施例の断面図である。
【図１３】発明の第４の実施例の皿部材をあげた状態の断面図である。
【図１４】発明の第４の実施例の外筒部材を抜き取るときの説明図である。
【図１５】発明の第４の実施例の外筒部材を抜き取るときの説明図である。
【図１６】発明の第４の実施例の内筒部材の斜視図である。
【符号の説明】
１、１Ｃ  内筒部材
２  螺合穴
３、３Ｃ  外筒部材
４、４Ｃ  皿部材
５  化粧料
６  軸棒
７  ストッパー
８  上下移動機構
９  係合溝
１０、１０Ｃ  係合ピン
１１  雄ねじ
１２  雌ねじ
１３  周溝
１４  ロール歯
１５、１５Ｂ  カット溝
１６  ハカマ部材
１７  蓋嵌合部
１８  蓋
１９、１９Ａ、１９Ｂ、１９Ｃ  収納容器
２０  ポンチ
２１  切り割り溝
２２  ラセン溝
【図１】
0004114821.tif 000002
【図２】
0004114821.tif 000003
【図３】
0004114821.tif 000004
【図４】
0004114821.tif 000005
【図５】
0004114821.tif 000006
【図６】
0004114821.tif 000007
【図７】
0004114821.tif 000008
【図８】
0004114821.tif 000009
【図９】
0004114821.tif 000010
【図１０】
0004114821.tif 000011
【図１１】
0004114821.tif 000012
【図１２】
0004114821.tif 000013
【図１３】
0004114821.tif 000014
【図１４】
0004114821.tif 000015
【図１５】
0004114821.tif 000016
【図１６】
0004114821.tif 000017